(57)【特許請求の範囲】
【請求項１】
電子機器であって、
アンテナと、
前記アンテナ内の第１の場所にある第１のアンテナフィード部と、
前記アンテナ内の第２の場所にある第２のアンテナフィード部と、
前記アンテナから第１の通信帯域で高周波信号を受信するように構成された第１の高周波受信機と、
前記アンテナから第２の通信帯域で高周波信号を受信するように構成された第２の高周波受信機と、
前記第１の高周波受信機と前記第１のアンテナフィード部との間に結合されている第１のフィルタであって、前記第１の通信帯域では前記高周波信号を通過させるように構成され、前記第２の通信帯域では前記高周波信号を遮断するように構成されている、第１のフィルタと、
前記第２の高周波受信機と前記第２のアンテナフィード部との間に結合されている第２のフィルタであって、前記第２の通信帯域では前記高周波信号を通過させるように構成され、前記第１の通信帯域では前記高周波信号を遮断するように構成されている、第２のフィルタと、
前記アンテナを同調するように構成され、前記第２のフィルタに結合されている同調可能回路と、を備え、
前記第２のフィルタがノッチフィルタを含む、電子機器。
【請求項２】
前記第１のフィルタが帯域通過フィルタを含む、請求項１に記載の電子機器。
【請求項３】
前記帯域通過フィルタが通過帯域を有し、前記ノッチフィルタが前記通過帯域と重なり合う阻止帯域を有する、請求項２に記載の電子機器。
【請求項４】
前記第１の高周波受信機が衛星航法システム受信機を含む、請求項３に記載の電子機器。
【請求項５】
前記第２の高周波受信機がセルラー電話受信機を含む、請求項４に記載の電子機器。
【請求項６】
前記セルラー電話受信機が第３の通信帯域で動作するように構成され、前記第２のフィルタが前記第３の通信帯域で高周波信号を通過させるように構成されている、請求項５に記載の電子機器。
【請求項７】
前記第３の通信帯域が前記阻止帯域よりも低い周波数を含み、前記第２の通信帯域が前記阻止帯域よりも高い周波数を含む、請求項６に記載の電子機器。
【請求項８】
前記アンテナを同調して前記第３の通信帯域をカバーするように構成され、前記ノッチフィルタに結合されている同調可能回路を更に備える、請求項７に記載の電子機器。
【請求項９】
前記同調可能回路が、少なくとも第１及び第２の選択可能な静電容量を呈するように構成されたスイッチ式の調節可能なコンデンサを含む、請求項８に記載の電子機器。
【請求項１０】
前記同調可能回路が、少なくとも第１及び第２の選択可能な静電容量を有するスイッチ式の調節可能なコンデンサを含む、請求項１に記載の電子機器。
【請求項１１】
前記第２のアンテナフィード部と前記第２の高周波受信機との間に結合されている信号経路を更に備え、前記第２のアンテナフィード部と前記第２の高周波受信機との間の前記経路の中に前記スイッチ式の調節可能なコンデンサが挿入され、前記第２のアンテナフィード部と前記スイッチ式の調節可能なコンデンサとの間に前記第２のフィルタが挿入され、前記第１の高周波受信機は衛星航法システム受信機を含み、前記第２の高周波受信機はセルラー電話受信機を含み、前記信号経路に結合されているセルラー電話送信機を更に備える、請求項１０に記載の電子機器。
【請求項１２】
前記アンテナのアンテナ接地を形成する導電性構造体を収容し、筐体の少なくとも幾つかの縁部の周りに延びる導電性周囲部材を有する前記筐体を更に備え、前記導電性周囲部材の少なくとも一部が前記アンテナのアンテナ共振要素を形成する、請求項１に記載の電子機器。
【請求項１３】
電子機器であって、
第１の場所にある第１のアンテナフィード部及び第２の場所にある第２のアンテナフィード部を有するアンテナと、
前記アンテナから第１の通信帯域で高周波信号を受信するように構成された第１の高周波受信機と、
前記アンテナから第２の通信帯域で高周波信号を受信するように構成された第２の高周波受信機と、
前記第１の高周波受信機と前記第１のアンテナフィード部との間に結合されている第１のフィルタであって、前記第１の通信帯域では前記高周波信号を通過させるように構成され、前記第２の通信帯域では第１のインピーダンスを呈するように構成されている、第１のフィルタと、
前記第２の高周波送受信機と前記第２のアンテナフィード部との間に結合されている第２のフィルタであって、前記第２の通信帯域では前記高周波信号を通過させるように構成され、前記第１の通信帯域では第２のインピーダンスを呈するように構成され、前記第２のフィルタ及び前記アンテナは、前記アンテナが前記第１の通信帯域で第１の共振を呈する一方で前記第２のフィルタが前記第１の通信帯域で前記第２のインピーダンスを呈するように構成され、前記第１のフィルタ及び前記アンテナは、前記アンテナが前記第２の通信帯域で第２の共振を呈する一方で前記第１のフィルタが前記第２の通信帯域で前記第１のインピーダンスを呈するように構成されている、第２のフィルタと、
前記アンテナのアンテナ接地を形成する導電性構造体を収容し、筐体の少なくとも幾つかの縁部の周りに延びる導電性周囲部材を有する筐体であって、前記導電性周囲部材の少なくとも一部が前記アンテナのアンテナ共振要素を形成する、筐体と、
前記アンテナを同調するように構成され、前記第２のフィルタに結合されている同調可能回路と、を備える、電子機器。
【請求項１４】
前記第１のフィルタが前記第１の通信帯域で第３のインピーダンスを呈するように構成され、前記第３のインピーダンスが前記第２のインピーダンスよりも小さい、請求項１３に記載の電子機器。
【請求項１５】
前記同調可能回路内に調節可能なコンデンサを更に備える、請求項１３に記載の電子機器。
【請求項１６】
電子機器であって、
異なる場所に第１及び第２のアンテナフィード部を有するアンテナと、
前記第１のアンテナフィード部に関連付けられる通信を処理する第１の回路及び前記第２のアンテナフィード部に関連付けられる通信を処理する第２の回路を有する高周波送受信機回路と、
前記第１のアンテナフィード部と前記第１の回路との間に結合されている第１のフィルタであって、第１の通信帯域では高周波信号を通過させるように構成され、第２の通信帯域では高周波信号を遮断するように構成されている、第１のフィルタと、
前記第２のアンテナフィード部と前記第２の回路との間に結合されている第２のフィルタであって、前記第１の通信帯域では前記高周波信号を遮断するように構成され、前記第２の通信帯域では前記高周波信号を通過させるように構成されている、第２のフィルタと、
前記アンテナを同調するように構成され、前記第２のフィルタに結合されている同調可能回路と、
前記同調可能回路内に同調可能コンデンサと、を備える、電子機器。
【請求項１７】
前記アンテナのアンテナ接地を形成する導電性構造体を収容する筐体であって、前記筐体の少なくとも幾つかの縁部の周りに延びる導電性周囲部材を有する、筐体を更に備え、前記導電性周囲部材の少なくとも一部が前記アンテナのアンテナ共振要素を形成する、請求項１６に記載の電子機器。
【請求項１８】
前記第２のフィルタと前記第２の回路との間に信号経路を更に備え、
追加のアンテナと、
前記信号経路の中に挿入されたアンテナ選択スイッチと、を更に備え、前記アンテナ選択スイッチが前記追加のアンテナに結合されている、請求項１７に記載の電子機器。
【発明の詳細な説明】
【技術分野】
【０００１】
本出願は、広くは電子機器に関し、より具体的には、無線通信回路を有する電子機器用のアンテナに関する。
【０００２】
本出願は、２０１２年２月８日に出願された米国特許出願第１３／３６８，８５５号に対する優先権を主張するものであり、これにおいて参照によりその全体が本明細書内に組み入れられる。
【背景技術】
【０００３】
ポータブルコンピュータ及びセルラー電話機のような電子機器には、多くの場合、無線通信機能が備えられている。例えば、電子機器は、セルラー電話帯域を使用して通信するセルラー電話回路のような長距離無線通信回路を使用する場合がある。電子機器は、無線ローカルエリアネットワーク通信回路のような近距離無線通信回路を使用して近傍の装置との通信を処理する場合がある。電子機器はまた、衛星航法システム受信機及びその他の無線回路を備えている場合もある。
【０００４】
小型フォームファクタの無線機器に対する消費者の要求を満たすために、メーカーは小型の構造体を使用したアンテナ構成要素などの無線通信回路を実現するべく努力を続けている。同時に、金属製の機器筐体の構成要素などの導電性構造体を電子機器に含めることが望ましい場合がある。導電性構成要素は高周波性能に影響を及ぼす可能性があるので、導電性構造体を含む電子機器内にアンテナを組み込む場合には注意を払う必要がある。更には、機器内のアンテナ及び無線回路が動作周波数の範囲全体にわたって十分良好な性能を発揮することを保証するために、注意を払う必要がある。
【０００５】
したがって、無線電子機器のための改良された無線通信回路を提供できることが望ましいであろう。
【発明の概要】
【０００６】
無線通信回路を包含する電子機器を提供することができる。無線通信回路は、高周波送受信機回路及びアンテナ構造体を含むことができる。アンテナ構造体は、異なる場所に第１及び第２のフィード部を有するアンテナを形成することができる。送受信機回路は、第１のフィード部を使用した通信を処理する第１の回路を有することができ、第２のフィード部を使用した通信を処理する第２の回路を有することができる。
【０００７】
第１のフィード部と第１の回路との間に第１のフィルタを挿入することができ、第２のフィード部と第２の回路との間に第２のフィルタを挿入することができる。第１の回路が第２のフィード部の存在によって悪影響を被ることなく第１のフィード部を使用でき、第２の回路が第１のフィード部の存在によって悪影響を被ることなく第２のフィード部を使用できるように、第１及び第２のフィルタ並びにアンテナを構成することができる。例えば、第１の回路の対象となる周波数帯域では信号を通過させる一方で、第２の回路の対象となる周波数帯域ではアンテナ性能を確実に満足させるインピーダンスを呈するように、第１のフィルタを構成することができる。同様に、第２の回路の対象となる周波数帯域では信号を通過させる一方で、第１の回路の対象となる周波数帯域ではアンテナ性能を確実に満足させるインピーダンスを呈するように、第２のフィルタを構成することができる。
【０００８】
第１の信号経路を使用して第１の回路を第１のフィード部に連結することができる。第２の信号経路を使用して第２の回路を第２のフィード部に連結することができる。第１及び第２の信号経路の中に１つ以上のインピーダンス整合回路を挿入することができる。例えば、第２の信号経路の中に同調可能インピーダンス整合回路を挿入することができる。同調可能インピーダンス整合回路を同調して所望の周波数範囲全体にわたってアンテナのカバレージを提供することができる。
【０００９】
添付の図面及び以下の好適な実施形態の詳細な説明から、本発明の更なる特長、性質、及び様々な利点がより明白となるであろう。
【図面の簡単な説明】
【００１０】
【図１】本発明の一実施形態に係る、無線通信回路を有する例示的な電子機器の斜視図である。
【図２】本発明の実施形態に係る、無線通信回路を有する例示的な電子機器の概略図である。
【図３】本発明の一実施形態に係る、複数のフィード部を有する例示的なアンテナの図である。
【図４】本発明の一実施形態に係る、複数のフィード部を有する例示的な平板逆Ｆアンテナの図である。
【図５】本発明の一実施形態に係る、複数のフィード部を有する例示的なスロットアンテナの図である。
【図６】本発明の一実施形態に係る、複数のフィード部を有する例示的な逆Ｆアンテナの図である。
【図７】本発明の一実施形態に係る、複数のフィード部を有する例示的なループアンテナの図である。
【図８】本発明の一実施形態に係る、伝送路を使用して高周波送受信機回路をフィード部に連結することができる方法を示す、複数のフィード部を有する逆Ｆアンテナの図である。
【図９】本発明の一実施形態に係る、関連付けられる高周波フィルタ回路を各々有する複数のフィード部を伴う例示的なアンテナの図である。
【図１０】本発明の一実施形態に係る、第１の場所にフィード部を有する例示的なアンテナの図である。
【図１１】本発明の一実施形態に係る、図１０に示す種類のアンテナ構成のアンテナ性能を周波数の関数としてプロットしたグラフである。
【図１２】本発明の一実施形態に係る、第２の場所にフィード部を有する図１０に示す種類の例示的なアンテナの図である。
【図１３】本発明の一実施形態に係る、図１２に示す種類のアンテナ構成のアンテナ性能を周波数の関数としてプロットしたグラフである。
【図１４】本発明の一実施形態に係る、図１０及び１２の第１及び第２の場所にフィード部及びフィルタが設けられたアンテナの図である。
【図１５】本発明の一実施形態に係るアンテナの第１のフィード部を使用したときの図１４に示す種類のアンテナ構成のアンテナ性能を周波数の関数としてプロットしたグラフである。
【図１６】本発明の一実施形態に係るアンテナの第２のフィード部を使用したときの図１４に示す種類のアンテナ構成のアンテナ性能を周波数の関数としてプロットしたグラフである。
【図１７】本発明の一実施形態に係る、第１のフィード位置にあるフィード部及び第１のフィード部の動作中に第２のフィード位置にインピーダンスをもたらす回路を有する、例示的なアンテナの図である。
【図１８】本発明の一実施形態に係る、図１７に示す種類のアンテナ構成のアンテナ性能を周波数の関数としてプロットしたグラフである。
【図１９】本発明の一実施形態に係る、第２のフィード位置にあるフィード部及び第２のフィード部の動作中に図１８の第１のフィード位置にインピーダンスをもたらす回路を有する、例示的なアンテナの図である。
【図２０】本発明の一実施形態に係る、図１９に示す種類のアンテナ構成のアンテナ性能を周波数の関数としてプロットしたグラフである。
【図２１】本発明の一実施形態に係る、機器内の構造体で接地平面及びアンテナ共振要素構造体を形成できる方法を示す、図１に示す種類の例示的な電子機器の図である。
【図２２】本発明の一実施形態に係る、図２１に示す種類の機器構造体を使用して複数のフィード部を有するアンテナを形成できる方法を示す図である。
【図２３】本発明の一実施形態に係る、複数のフィード部並びにフィード部に関連付けられるフィルタ及び整合回路などの無線回路を有する、図２２に示す種類のアンテナの図である。
【図２４】本発明の一実施形態に係る、図２３の第１及び第２のアンテナフィード部に関連付けられるフィルタ回路の周波数応答を構成できる方法を示す図である。
【図２５】本発明の一実施形態に係る、図２３の第１のアンテナフィード部の使用に関連付けられるアンテナ性能のグラフである。
【図２６】本発明の一実施形態に係る、図２３の第２のアンテナフィード部の使用に関連付けられるアンテナ性能のグラフである。
【図２７】本発明の一実施形態に係る、可変コンデンサに基づく例示的なアンテナ同調要素の図である。
【図２８】本発明の一実施形態に係る、スイッチに基づく例示的なアンテナ同調要素の図である。
【図２９】本発明の一実施形態に係る、可変インダクタに基づく例示的なアンテナ同調要素の図である。
【図３０】本発明の一実施形態に係る、スイッチ式の調節可能なコンデンサに基づく例示的なアンテナ同調要素の図である。
【図３１】本発明の一実施形態に係る、スイッチ式の調節可能なインダクタに基づく例示的なアンテナ同調要素の図である。
【図３２】本発明の一実施形態に係る、図２３の第２のアンテナフィード部に関連付けることのできる調節可能なアンテナ回路を示す図である。
【図３３】本発明の一実施形態に係る、図３２に示す種類の調節可能な回路を使用した図２３に示す種類のアンテナのアンテナ性能を周波数の関数としてプロットしたグラフである。
【発明を実施するための形態】
【００１１】
図１の電子機器１０のような電子機器は、無線通信回路を装備することができる。この無線通信回路は、複数の無線通信帯域での無線通信に対応するために使用することができる。この無線通信回路は、１つ以上のアンテナを含むことができる。
【００１２】
アンテナとしては、ループアンテナ、逆Ｆアンテナ、ストリップアンテナ、平板逆Ｆアンテナ、スロットアンテナ、１種類よりも多くのアンテナ構造体を含む複合アンテナ、又はその他の好適なアンテナを挙げることができる。所望であれば、アンテナ用の導電性構造体は、電子機器の導電性構造体から形成することができる。電子機器の導電性構造体としては、導電性の筐体構造体を挙げることができる。筐体構造体としては、電子機器の周りに延びる導電性周囲部材を挙げることができる。導電性周囲部材は、ディスプレイなどの平面構造体のベゼルとして機能することができ、機器の筐体の側壁構造体として機能することができ、及び／又はその他の筐体構造体を形成することができる。導電性周囲部材内の隙間を、アンテナに関連付けることができる。
【００１３】
電子機器１０は、ポータブル電子機器又はその他の好適な電子機器であり得る。例えば、電子機器１０は、ラップトップコンピュータ、タブレットコンピュータ、腕時計型機器、ペンダント型機器、ヘッドホン型機器、イヤホン型機器、若しくはその他の着用可能な若しくはミニチュア機器などの幾分小さめの機器、セルラー電話機、又はメディアプレーヤであってもよい。機器１０はまた、テレビ、セットトップボックス、デスクトップコンピュータ、コンピュータを内蔵するコンピュータ用モニター、又はその他好適な電子機器であってもよい。
【００１４】
機器１０は、筐体１２のような筐体を含むことができる。ケースと呼ばれることもある筐体１２は、プラスチック、ガラス、セラミックス、繊維複合材、金属（例えば、ステンレス鋼、アルミニウムなど）、その他の好適な材料、又はこれら材料の組み合わせで形成することができる。一部の状況では、筐体１２の一部は、誘電体又は他の低導電性材料から形成することができる。その他の状況では、筐体１２又は筐体１２を構成する構造物の少なくとも一部を金属要素から形成することができる。
【００１５】
所望であれば、機器１０はディスプレイ１４のようなディスプレイを有することができる。ディスプレイ１４は、例えば、容量性タッチ電極を組み込んだタッチスクリーンであってもよい。ディスプレイ１４は、発光ダイオード（ＬＥＤ）、有機ＬＥＤ（ＯＬＥＤ）、プラズマセル、エレクトロウェッティングピクセル、電気泳動ピクセル、液晶ディスプレイ（ＬＣＤ）構成要素、又はその他の好適な画像ピクセル構造体から形成される、画像ピクセルを含むことができる。カバーガラス層によってディスプレイ１４の表面を覆うことができる。ボタン１９のようなボタンがカバーガラス内の開口部を貫通することができる。カバーガラスはまた、スピーカーポート２６用の開口部のようなその他の開口部を有することもできる。
【００１６】
筐体１２は、部材１６のような周囲部材を含むことができる。部材１６は、機器１０及びディスプレイ１４の周りに延びることができる。機器１０及びディスプレイ１４が矩形形状を有する構成において、部材１６は（例として）矩形環形状を有することができる。部材１６又は部材１６の一部は、ディスプレイ１４のベゼル（例えば、ディスプレイ１４の４辺全てを囲み、及び／又はディスプレイ１４を機器１０に保持する上で役立つ装飾用トリム）として機能することができる。所望ならば、部材１６はまた、（例えば、垂直側壁などを有する金属バンドなどを形成することにより）機器１０の側壁構造体を形成することもできる。
【００１７】
部材１６は導電性材料で形成することができ、したがって、場合によっては導電性周囲部材又は導電性筐体構造体と呼ばれることもある。部材１６は、ステンレス鋼、アルミニウムなどの金属、又はその他の好適な材料から形成することができる。部材１６を形成するにあたって、１つ、２つ、又は２つよりも多くの別個の構造体を使用してもよい。
【００１８】
部材１６が均一な断面を有する必要はない。例えば、所望であれば、部材１６の上部部分が、ディスプレイ１４を適所に保持する上で役立つ内向きに突出したリップを有することができる。所望であれば、部材１６の下部部分もまた拡大されたリップを（例えば、機器１０の背面の平面内に）有することができる。図１の例では、部材１６はほぼ垂直な真っ直ぐな側壁を有する。これは単なる例示に過ぎない。部材１６の側壁は、湾曲していてもよく、又はその他任意の好適な形状を有することができる。幾つかの構成では（例えば、部材１６がディスプレイ１４のベゼルとして機能する場合）、部材１６は、筐体１２のリップの周りに延びることができる（即ち、部材１６が筐体１２の側壁の筐体１２の後縁部は覆わずに、筐体１２のディスプレイ１４を囲む縁部のみを覆ってもよい）。
【００１９】
ディスプレイ１４は、容量性電極のアレイ、ピクセル要素をアドレス指定するための導電線、駆動回路などの導電性構造体を含むことができる。筐体１２は、金属フレーム部材、筐体１２の壁部に広がる（中央平面と呼ぶこともある）平面筐体部材（即ち、部材１６の対辺間を溶接ないしは別の方法で接続するほぼ矩形の部材）、プリント回路基板、及びその他の導電性の内部構造体などの内部構造体を含むことができる。これらの導電性構造体は、（例として）ディスプレイ１４の下の筐体１２の中央に配置することができる。
【００２０】
領域２２及び２０内において、機器１０の導電性構造体の内部（例えば、導電性周囲部材１６と、導電性筐体構造体、プリント回路基板に関連付けられた導電性接地平面、及び導電性電気構成要素のような導電性周囲部材１６と対向する機器１０内の導電性構造体との間）に空きスペースを形成することができる。これらの空きスペースは、空気、プラスチック、及びその他の誘電体で充填することができる。導電性筐体構造体及び機器１０内のその他の導電性構造体が、機器１０内のアンテナの接地平面として機能することができる。領域２０及び２２にある空きスペースは、オープンスロットアンテナ若しくはクローズドスロットアンテナ内のスロットとして機能することができ、ループアンテナ内の材料のうちの導電路によって囲まれた中央の誘電体領域として機能することができ、ストリップアンテナの共振要素若しくは逆Ｆアンテナの共振要素のようなアンテナの共振要素を接地平面から分離するスペースとして機能することができ、又は領域２０及び２２内に形成されたアンテナ構造体の一部として別の機能を果たすことができる。
【００２１】
機器１０は、一般的に任意の好適な数（例えば、１つ以上、２つ以上、３つ以上、４つ以上など）のアンテナを含むことができる。機器１０のアンテナは、機器の細長い筐体の対向する第１及び第２の端部に、機器の筐体の１つ以上の縁部に沿って、機器の筐体の中央に、その他の好適な場所に、又はこのような場所のうちの１つ以上の場所に配置することができる。図１の構成は、単なる例示に過ぎない。
【００２２】
部材１６の部分に隙間構造体を設けることができる。例えば、部材１６に、図１に示す隙間１８のような１つ以上の隙間を設けることができる。隙間は、ポリマー、セラミック、ガラス、空気、その他の誘電物質などの誘電体、又はこれらの物質の組み合わせで充填することができる。隙間１８は、部材１６を１つ以上の導電性周囲部材のセグメントに分割することができる。例えば、２セグメントの部材１６（例えば、２箇所の隙間を有する構成）、３セグメントの部材１６（例えば、３箇所の隙間を有する構成）、４セグメントの部材１６（例えば、４箇所の隙間を有する構成など）があってもよい。このようにして形成される導電性周囲部材１６のセグメントは、機器１０内のアンテナの部分を形成することができる。
【００２３】
一般的なシナリオでは、機器１０は（例として）上部アンテナ及び下部アンテナを有することができる。上部アンテナは、例えば、領域２２内において機器１０の上端に形成することができる。下部アンテナは、例えば、領域２０内において機器１０の下端に形成することができる。これらのアンテナは、同一の通信帯域、重なり合う通信帯域、又は別個の通信帯域をカバーするために別々に使用することができる。これらのアンテナは、アンテナダイバーシティ方式又は多重入出力（ＭＩＭＯ）アンテナ方式を実施するために使用することができる。
【００２４】
機器１０のアンテナは、対象とする任意の通信帯域に対応するために使用することができる。例えば、機器１０は、ローカルエリアネットワーク通信、音声及びデータ用セルラー電話通信、全地球測位システム（ＧＰＳ）通信又はその他の衛星航法システムによる通信、Ｂｌｕｅｔｏｏｔｈ（登録商標）通信などに対応するアンテナ構造体を含むことができる。
【００２５】
電子機器１０に使用できる例示的な構成の概略図を図２に示す。図２に示すとおり、電子機器１０は記憶及び処理回路２８を含むことができる。記憶及び処理回路２８に、ハードディスクドライブ記憶装置などの記憶装置、不揮発性メモリ（例えば、フラッシュメモリ、又はソリッドステートドライブを形成するために構成された他の電気的にプログラムできる読み出し専用メモリ）、揮発性メモリ（例えば、静的又は動的ランダムアクセスメモリ）などを含めることもできる。記憶及び処理回路２８内の処理回路を使用することによって機器１０の動作を制御し得る。処理回路は、１つ以上のマイクロプロセッサ、マイクロコントローラ、デジタル信号プロセッサ、ベースバンドプロセッサ、電力管理ユニット、音声コーデックチップ、特定用途向け集積回路などに基づくことができる。
【００２６】
記憶及び処理回路２８を使用することによって、機器１０上で、インターネットブラウジングアプリケーション、ボイスオーバー・インターネット・プロトコル（ＶＯＩＰ）通話アプリケーション、電子メールアプリケーション、メディア再生アプリケーション、オペレーティングシステム機能などのソフトウェアを走らせ得る。外部機器との相互作用がサポートされるように、通信プロトコルを実施するために記憶及び処理回路２８を使用してもよい。記憶及び処理回路２８を使用して実施できる通信プロトコルとしては、インターネットプロトコル、無線ローカルエリアネットワークプロトコル（例えば、ＩＥＥＥ  ８０２．１１プロトコル（ＷｉＦｉ（登録商標）と呼ぶこともある））、Ｂｌｕｅｔｏｏｔｈ（登録商標）プロトコルのようなその他の近距離無線通信リンク用のプロトコル、セルラー電話プロトコルなどを挙げることができる。
【００２７】
回路２８は、機器１０内のアンテナの使用を制御する制御アルゴリズムを実行するように構成することができる。例えば、回路２８は信号品質の監視動作、センサーの監視動作、及びその他のデータ収集動作を実行することができ、機器１０内でどの通信帯域を使用すべきかに関して収集されたデータ及び情報に応じて、データの受信及び処理のために機器１０内のどのアンテナ構造体が使用されているかを制御することができ、並びに／又は機器１０内の１つ以上のスイッチ、同調可能要素、若しくはその他の調節可能な回路を調節してアンテナの性能を調節することができる。例として、回路２８は、着信高周波信号を受信するために２つ以上のアンテナのうちの何れが使用されているかを制御することができ、高周波信号を送信するために２つ以上のアンテナのうちの何れが使用されているかを制御することができ、機器１０内の２つ以上のアンテナを介した並行する着信データストリームを経路指定するプロセスを制御でき、所望の通信帯域をカバーするためにアンテナを同調することができ、その他のことができる。回路２８は、これらの制御動作を実行するために、スイッチを開閉することができ、受信機及び送信機をオン／オフすることができ、インピーダンス整合回路を調節でき、高周波送受信機回路とアンテナ構造体との間に挿入されているフロントエンドモジュール（ＦＥＭ）高周波回路（例えば、インピーダンス整合及び信号経路指定に使用されるフィルタリング回路及びスイッチング回路）内のスイッチを設定することができ、アンテナの一部として形成されているか又はアンテナ若しくはアンテナに関連付けられた信号経路に連結されているスイッチ、同調可能回路、及びその他の調節可能な回路要素を調節でき、並びに機器１０の構成要素を別の方法で制御及び調節することができる。
【００２８】
機器１０にデータを供給することを可能とし、機器１０から外部機器にデータを供給することを可能とするために、入出力回路３０を使用することができる。入出力回路３０は、入出力装置３２を含むことができる。入出力装置３２としては、タッチスクリーン、ボタン、ジョイスティック、クリックホイール、スクロールホイール、タッチパッド、キーパッド、キーボード、マイクロホン、スピーカ、音源、振動器、カメラ、センサー、発光ダイオード及びその他の状態標識、データポートなどを挙げることができる。ユーザーは入出力装置３２を介してコマンドを供給することにより機器１０の動作を制御することができ、入出力装置３２の出力リソースを使用して機器１０から状態情報及びその他の出力を受け取ることができる。
【００２９】
無線通信回路３４は、１つ以上の集積回路から形成される高周波（ＲＦ）送受信機回路、電力増幅器回路、低雑音入力増幅器、パッシブＲＦコンポーネント、１つ以上のアンテナ、及びその他ＲＦ無線信号を処理するための回路を含むことができる。無線信号はまた、光線を使用して送信することもできる（例えば、赤外線通信）。
【００３０】
無線通信回路３４は、（例えば、１５７５ＭＨｚの衛星測位信号を受信するための）全地球測位システム（ＧＰＳ）受信機回路３５などの衛星航法システム受信機回路又はその他の衛星航法システムに関連付けられる衛星航法システム受信機回路を含むことができる。送受信機回路３６は、ＷｉＦｉ（登録商標）（ＩＥＥＥ  ８０２．１１）通信用の２．４ＧＨｚ及び５ＨＧｚの帯域を処理することができ、２．４ＧＨｚのＢｌｕｅｔｏｏｔｈ（登録商標）通信帯域を処理することができる。回路３４は、約７００ＭＨｚ〜約２２００ＭＨｚの周波数範囲の帯域又はより高い若しくはより低い周波数の帯域のセルラー電話帯域での無線通信を処理するために、セルラー電話送受信機回路３８を使用することができる。所望であれば、無線通信回路３４は、その他の近距離及び遠距離無線リンク用の回路を含むことができる。例えば、無線通信回路３４は、ラジオ信号及びテレビ信号を受信する無線回路、ページング回路などを含むことができる。ＷｉＦｉ（登録商標）リンク及びＢｌｕｅｔｏｏｔｈ（登録商標）リンク並びにその他の近距離無線リンクでは、無線信号は一般的に数十フィート又は数百フィートにわたってデータを伝達するために使用される。セルラー電話リンク及びその他の遠距離リンクでは、無線信号は一般的に数千フィート又は数マイルにわたってデータを伝達するために使用される。
【００３１】
無線通信回路３４は、１つ以上のアンテナ４０を含み得る。任意の好適な種類のアンテナを使用してアンテナ４０を形成することができる。例えば、アンテナ４０としては、ループアンテナ構造体、パッチアンテナ構造体、逆Ｆアンテナ構造体、クローズド及びオープンスロットアンテナ構造体、平板逆Ｆアンテナ構造体、ヘリカルアンテナ構造体、ストリップアンテナ、モノポール、ダイポール、これらの設計の混成などから形成される共振要素を有するアンテナを挙げることができる。異なる帯域及び帯域の組み合わせについて異なる種類のアンテナを使用することもできる。例えば、１種類のアンテナをローカル無線リンクアンテナの形成に使用し、別の種類のアンテナをリモート無線リンクの形成に使用してもよい。
【００３２】
所望であれば、アンテナ４０のうちの１つ以上に複数のアンテナフィード部及び／又は調節可能な構成要素を設けることができる。これらのようなアンテナを使用して、所望の対象とする通信帯域をカバーすることができる。例えば、第１のアンテナフィード部を第１の組の通信周波数に関連付けることができ、第２のアンテナフィード部を第２の組の通信周波数に関連付けることができる。複数のフィード部（及び／又は調節可能なアンテナ構成要素）を使用することにより、所望の通信帯域を十分にカバーしながらも機器１０内のアンテナのサイズ（体積）の低減を可能とすることができる。
【００３３】
機器１０のための１つ以上のアンテナを実装するために使用できる種類の、複数のフィード部を有するアンテナの例示的な構成を図３に示す。図３に示すように、アンテナ４０は、アンテナ共振要素５０及びアンテナ接地５２などの導電性アンテナ構造体を有することができる。アンテナ共振要素５０及びアンテナ接地５２を形成する導電性構造体は、導電性筐体構造体の部分から、機器１０内の電気装置構成要素の部分から、プリント回路基板の配線から、電線及び金属箔などの導線から、又はその他の導電性材料から形成することができる。
【００３４】
所望であれば、アンテナ４０に関連付けられる各々のアンテナフィード部は別個の場所を有することができる。図３に示すように、アンテナ４０は、アンテナ４０内の第１の場所にフィード部ＦＡのような第１のフィード部を、アンテナ４０内の第２の場所にフィード部ＦＢのような第２のフィード部を、及びアンテナ４０の潜在的に異なるそれぞれの場所に１つ以上の追加的なアンテナフィード部を有することができる。
【００３５】
正のアンテナフィード端子（＋）及び接地アンテナフィード端子（−）のような端子を使用して、各々のフィード部を関連付けられる１組の導電性信号経路に連結することができる。例えば、経路５４Ａはフィード部ＦＡ内の正のアンテナフィード端子に連結されている正の導体５８Ａ及びフィード部ＦＡ内の接地アンテナフィード端子に連結されている接地導体５６Ａを有することができ、経路５４Ｂはフィード部ＦＢ内の正のアンテナフィード端子に連結されている正の導体５８Ｂ及びフィード部ＦＢ内の接地アンテナフィード端子に連結されている接地導体５６Ｂを有することができる。経路５４Ａ及び５４Ｂのような経路は、同軸ケーブル、マイクロストリップ伝送路（例えば、プリント回路上のマイクロストリップ伝送路）、ストリップライン伝送路（例えば、プリント回路上のストリップライン伝送路）、又はその他の伝送路若しくは信号経路などの伝送路構造体を使用して実装することができる。インピーダンス整合回路及びフィルタ回路などの回路並びにその他の回路を経路５４Ａ及び５４Ｂの中に挿入することができる。
【００３６】
アンテナ共振要素５０及びアンテナ接地５２を形成する導電性構造体を使用して任意の好適な種類のアンテナを形成することができる。
【００３７】
図４の例では、第１のアンテナフィード部（フィード部ＦＡ）及び第２のアンテナフィード部（フィード部ＦＢ）を有する平板逆Ｆの構成を使用してアンテナ４０を実装している。
【００３８】
図５は、アンテナ４０に使用できる例示的なスロットアンテナの構成の平面図である。図５の例では、アンテナ共振要素５０は、接地平面５２内の閉じた（囲まれた）矩形スロット（例えば、誘電体で充填された空きスペース）から形成されている。フィード部ＦＡ及びＦＢは各々、アンテナのスロットに沿ったそれぞれの位置に配置されたそれぞれに対応する１対のアンテナフィード端子（＋／−）を有することができる。
【００３９】
図６の例示的な構成では、アンテナ４０は、逆Ｆアンテナの設計を使用して実装されている。図６の逆Ｆアンテナ４０は、第１のアンテナフィード部（対応する正の端子及び接地端子を有するフィード部ＦＡ）及び第２のアンテナフィード部（対応する正の端子及び接地端子を有するフィード部ＦＢ）を有する。フィード部ＦＡ及びＦＢは、逆Ｆアンテナ４０を形成する共振要素の主要部である腕部の長さに沿ったそれぞれの異なる場所に配置することができる。所望であれば、複数の腕部又は異なる形状の腕部を有する逆Ｆ構成を使用することができる。
【００４０】
図７は、複数のアンテナフィード部を有するループアンテナの構成を使用してアンテナ４０を実装する方法を示す図である。図７に示すように、アンテナ４０は、ループ６０のような導電性材料からなるループを有することができる。ループ６０は、導電性構造体５０及び／又は導電性構造体５２（図３）から形成することができる。フィード部ＦＡのような第１のアンテナフィード部は正のアンテナフィード端子（＋）及び接地アンテナフィード端子（−）を有することができ、ループ６０の一部分にフィードするために使用することができ、フィード部ＦＢのような第２のアンテナフィード部は正のアンテナフィード端子（＋）及び接地アンテナフィード端子（−）を有することができ、ループ６０の異なる部分でアンテナ４０にフィードするために使用することができる。
【００４１】
図４、５、６、及び７の例示的な例は、単なる例示に過ぎない。アンテナ４０は、一般的に、任意の好適な数のアンテナフィード部を有することができ、任意の好適な種類のアンテナ構造体を使用して形成することができる。
【００４２】
図８は、アンテナ４０を送受信機回路６２に連結できる方法を示している。図８のアンテナ４０は逆Ｆアンテナであるが、一般的には任意の好適な種類のアンテナを使用してアンテナ４０を実装することができる。アンテナ４０は、正のアンテナフィード端子（＋）及び接地アンテナフィード端子（−）を有する例示的な第１のアンテナフィード部ＦＡ並びに正のアンテナフィード端子（＋）及び接地アンテナフィード端子（−）を有する例示的な第２のアンテナフィード部ＦＢのような複数のフィード部を有することができる。経路５４Ａは１つ以上の伝送路のセグメントを含むことができ、正の導体５６Ａ及び接地導体５８Ａを含むことができる。経路５４Ｂは１つ以上の伝送路のセグメントを含むことができ、正の導体５６Ｂ及び接地導体５８Ｂを含むことができる。経路５４Ａ及び５４Ｂの中にフィルタ回路及びインピーダンス整合回路並びにその他の回路のような１つ以上の回路（図８には図示せず）を挿入することができる。送受信機回路６２は、送受信機６２Ａ及び６２Ｂのような高周波受信機及び／又は高周波送信機を含むことができる。
【００４３】
経路５４Ａは、送受信機６２Ａのような第１の高周波送受信機回路と第１のアンテナフィード部ＦＡとの間を連結することができる。経路５４Ｂは、送受信機６２Ａのような第２の高周波送受信機回路と第２のアンテナフィード部ＦＡとの間を連結するために使用することができる。フィード部ＦＡ及びＦＢは、高周波アンテナ信号を送受信するために使用することができる。送受信機６２Ａは、高周波受信機及び／又は高周波送信機を含むことができる。送受信機６２Ｂもまた、高周波受信機及び／又は高周波送信機を含むことができる。
【００４４】
例として、送受信機６２Ａは衛星航法システム受信機を含むことができ、送受信機６２Ｂは（セルラー電話送信機及びセルラー電話受信機を有する）セルラー電話送受信機を含むことができる。別の例として、送受信機６２Ａは第１の通信帯域（例えば、第１のセルラー又は無線ローカルエリアネットワーク帯域）に関連付けられる周波数で動作する送信機及び／又は受信機を有することができ、送受信機６２ｂは第２の通信帯域（例えば、第２のセルラー又は無線ローカルエリアネットワーク帯域）に関連付けられる周波数で動作する送信機及び／又は受信機を有することができる。所望であれば、他の種類の構成を使用することもできる。送受信機６２Ａ及び６２Ｂは、別個の集積回路を使用して実装することができ、又は（例として）共通の集積回路内に統合することもできる。関連する１つ以上の追加的な集積回路（例えば、１つ以上のベースバンドプロセッサ集積回路）を使用してアンテナ４０によって送信されるデータを送受信機回路６２に供給することができ、これらを使用してアンテナ４０によって受信されたデータを受信及び処理することができる。
【００４５】
経路５４Ａ及び５４Ｂのような経路の中にフィルタ回路及びインピーダンス整合回路を挿入することができる。例えば、図９に示すように、アンテナフィード部ＦＡを使用して送信及び／又は受信される信号がフィルタ６４Ａによってフィルタリングされるように、フィード部ＦＡと送受信機６２Ａとの間の経路５４Ａの中にフィルタ６４Ａを挿入することができる。フィルタ６４Ｂもまた同様に、アンテナフィード部ＦＢを使用して送信及び／又は受信される信号がフィルタ６４Ｂによってフィルタリングされるように、経路５４Ｂの中に挿入することができる。フィルタ６４Ａ及び６４Ｂは調節可能であっても固定であってもよい。固定フィルタの構成では、信号周波数の関数であるフィルタの透過率は固定である。調節可能なフィルタの構成では、調節可能な構成要素を異なる状態で配置してフィルタの透過率特性を調節することができる。所望であれば、固定及び／又は調節可能なインピーダンス整合回路（例えば、アンテナ４０又はその他の無線回路への伝送路をインピーダンス整合する回路）を経路５４Ａ及び５４Ｂの中に（例えば、フィルタ６４Ａ及び６４Ｂの一部として又は別個の回路として）含むことができる。
【００４６】
複数のフィード部がアンテナ４０に同時に連結されている構成であってもアンテナ４０内のアンテナフィード部が十分良好に動作できるように、フィルタ６４Ａ及び６４Ｂを構成することができる。図１０、１１、１２、１３、１４、１５、１６、１７、１８、１９、及び２０に関連して、複数のフィード部が同時に存在することに対応するようにフィルタ６４Ａ及び６４Ｂを構成できる方法について述べる。
【００４７】
図１０は、アンテナ４０が単一のフィード部（フィード部ＦＡ）のみを有する構成のアンテナ４０の図である。図１０の例示的な構成において、アンテナ共振要素５０及びアンテナ接地５２をなす導電性材料は、フィード部ＦＡを使用して動作させたときにアンテナ４０が所望の通信帯域で共振を呈するように構成されている。図１１は、図１０のアンテナ４０のアンテナ性能（定在波比）を動作周波数ｆの関数としてプロットしたグラフである。図１１のグラフの曲線６６内の周波数ｆ1における共振ピークによって示されるように、図１０及び１１の例における例示的な対象通信帯域は周波数ｆ1を中心としている。
【００４８】
アンテナフィード部ＦＡの代わりに図１２のアンテナフィード部ＦＢなどの異なるアンテナフィード部を使用して図１０のアンテナ構造体にフィードした場合は、アンテナ４０の周波数応答が異なる。具体的には、フィード部ＦＢを使用して動作させるときには異なる所望の通信帯域での共振を呈するように、アンテナ４０を構成することができる。例えば、図１２のフィード部ＦＢを有するアンテナ４０は、図１３の曲線６８が示すように、周波数ｆ2を中心とした通信帯域をカバーするアンテナ共振を呈することができる。
【００４９】
機器１０の無線通信回路３４（図２）をｆ1にある通信帯域及びｆ2にある通信帯域の両方で動作可能とするために、図１４に示すようにそれぞれに対応するフィルタ６４Ａ及び６４Ｂを使用してフィード部ＦＡ及びＦＢをアンテナ４０に連結することができる。アンテナ４０内にフィード部ＦＡ及びＦＢの両方が存在しても、図１４のアンテナ４０が、フィード部ＦＡを使用するときには図１１の曲線６６の周波数応答を呈し続け、フィード部ＦＢを使用するときには図１３の曲線６８の周波数応答を呈し続けるように、フィルタ６４Ａ及び６４Ｂを構成することができる。
【００５０】
具体的には、周波数ｆ1付近の周波数の信号がフィルタを通過できるようにｆ1付近の周波数の（例えば、周波数ｆ1を中心とする通信帯域の）インピーダンスを形成するように、フィルタ６４Ａを構成することができる。フィルタ６４Ａはまた、ｆ2付近の周波数でアンテナ４０からフィード部ＦＡに関連付けられた回路を事実上切り離すようにｆ2付近の周波数での（例えば、周波数ｆ2を中心とする通信帯域での）インピーダンス（例えば、開路又は短絡）を形成するように構成することもできる。周波数ｆ2付近の周波数の信号がフィルタ６４Ｂを通過できるようにｆ2付近の周波数の（例えば、周波数ｆ2を中心とする通信帯域の）インピーダンスを形成するように、フィルタ６４Ｂを構成することができる。フィルタ６４Ｂはまた、ｆ1付近の周波数でアンテナ４０からフィード部ＦＢに関連付けられた回路を事実上切り離すようにｆ1付近の周波数での（周波数ｆ1を中心とする通信帯域での）インピーダンス（例えば、開路又は短絡）を形成するように構成することもできる。
【００５１】
この種類のフィルタ構成を使用すると、アンテナ４０は、フィード部ＦＡを使用したときには図１５の曲線７０が示す種類の応答を呈し、フィード部ＦＢを使用したときには曲線７２が示す種類の応答を呈することができる。フィルタ６４Ａが周波数ｆ1付近の周波数でアンテナ４０によってフィード部ＦＡを使用して送受信される信号を通過させる一方、フィルタ６４Ｂは、周波数ｆ1付近の周波数でアンテナ４０からフィード部ＦＢを事実上切断する開路（又はその他のインピーダンス）を形成する。したがって、ｆ1付近の周波数でフィード部ＦＡを使用してアンテナ４０を動作させたとき、図１４のアンテナ４０は、図１１の曲線６６の周波数応答に類似した周波数応答を呈する（即ち、図１５の曲線７０が図１１の曲線６６と一致する）ことができる。その代わりに、周波数ｆ1付近の周波数でアンテナ４０からフィード部ＦＢを切り離さないインピーダンスを有するようにフィルタ６４Ｂを構成した場合、フィード部ＦＢは、フィード部ＦＡの動作中に事実上存在することとなる。このことは、アンテナ４０の性能に（例えば、図１５の応答曲線７４のような応答曲線を生じさせることにより）悪影響を及ぼす可能性がある。
【００５２】
同様に、周波数ｆ2付近の周波数で図１４のアンテナ４０を動作させたときにフィード部ＦＡからフィード部ＦＢを分離するために、フィルタ６４Ａ及び６４Ｂの周波数応答を使用することができる。具体的には、アンテナ４０がフィード部ＦＢを使用したときには、周波数ｆ2付近の周波数でフィルタ６４Ｂによって形成されるインピーダンスが、アンテナ４０がフィード部ＦＢを使用してフィルタ６４Ｂを介して信号を送受信することを可能とする一方、フィルタ６４Ａは周波数ｆ2付近の周波数でアンテナ４０からフィード部ＦＡを事実上切断する開路（即ち、高インピーダンス又はその他の好適なインピーダンス）を形成するので、アンテナ４０は図１６の曲線７２が示す種類の応答を呈することができる。この結果、図１４のアンテナ４０は、フィード部ＦＢを使用して図１３の曲線６８の周波数応答に類似した周波数応答を呈する（即ち、図１６の曲線７２が図１３の曲線６８と一致する）ことができる。その代わりに、周波数ｆ2付近の周波数でアンテナ４０からフィード部ＦＡを切り離さないインピーダンスを有するようにフィルタ６４Ａを構成した場合、フィード部ＦＡは、フィード部ＦＢの動作中に事実上存在することとなる。このことは、アンテナ４０の性能に（例えば、図１６の応答曲線７６のような応答曲線を生じさせることにより）悪影響を及ぼす可能性がある。
【００５３】
一般的に、フィルタ６４Ａ及び６４Ｂは、任意の好適なインピーダンス対周波数特性を有するように構成することができる。例として、図１７、１８、１９、及び２０に示す種類のシナリオについて検討する。図１７に示すように、アンテナフィード部ＦＡを使用中にフィード部ＦＢに関連付けられた場所に（少なくとも共振周波数ｆ1の近傍の周波数について）所与のインピーダンス値ＺＢが存在するときに図１８の曲線７８の周波数応答（即ち、周波数ｆ1を中心とする通信帯域のピークとなる周波数共振）のような所望の周波数応答が得られるように、アンテナ４０を構成することができる。同時に、アンテナフィード部ＦＢを使用中にフィード部ＦＡに関連付けられた場所に（少なくとも共振周波数ｆ2の近傍の周波数について）インピーダンス値ＺＡが存在するときに図２０の曲線８０の周波数応答（即ち、周波数ｆ2を中心とする通信帯域のピークとなる周波数共振）のような所望の周波数応答が得られるように、アンテナ４０を構成することができる。
【００５４】
図１７及び１９の例示的なアンテナ構造体と同様のアンテナ共振要素５０及び接地平面５２を図１４のアンテナ４０に設けることができる。フィード部ＦＡ及びＦＢが両方とも存在するときにアンテナ４０の所望の周波数応答を確実に得るために、フィルタ６４Ａは、ｆ1付近の周波数で動作中にフィード部ＦＡにおいて信号がフィルタ６４Ａを通過してアンテナ４０に至ることができる、周波数ｆ1付近の周波数でのインピーダンスを形成するように構成することができ、周波数ｆ2付近の周波数で動作中に図１９のＺＡのインピーダンスを形成するように構成することができる。フィルタ６４Ｂは、ｆ2付近の周波数で動作中にフィード部ＦＢにおいて信号がフィルタ６４Ｂを通過してアンテナ４０に至ることができる、周波数ｆ2付近の周波数でのインピーダンスを形成するように構成することができ、周波数ｆ1付近の周波数で動作中に図１７のＺＢのインピーダンスを有する回路を形成するように構成することができる。
【００５５】
この構成では、フィード部ＦＡを使用することにより（フィルタ６４Ｂが周波数ｆ1での通信帯域で動作中に望まれるインピーダンスＺＢを有するので）、（図１４のアンテナ４０について）図１８の曲線７８のような周波数応答が得られる。フィード部ＦＢを使用することにより（フィルタ６４Ａが周波数ｆ2での通信帯域で動作中に望まれるインピーダンスＺＡを有するので）、（図１４のアンテナ４０について）図２０の曲線８０のような周波数応答が得られる。
【００５６】
一般的に、インピーダンスＺＡ及びＺＢは、任意の（例えば、ゼロ又は非ゼロの実部及び虚部を伴う）複素数の値を有することができる。例えば、Ｚ１は、共振要素５０と接地５２との間の特定の静電容量値に関連付けることができ、共振要素５０と接地５２との間の特定のインダクタンスに関連付けることができ、並列の誘導性の構成要素及び容量性の構成要素に関連付けることができ、特定の周波数で短絡挙動を呈することができ、特定の周波数で開路を生じさせることができ、などといったことができる。
【００５７】
機器１０が１つ以上の隙間１８を伴って図１の筐体部材１６のような導電性筐体周囲部材を有する構成の、機器１０の内部平面図を図２１に示す。図２１に示すように、機器１０は、アンテナ接地平面５２のようなアンテナ接地平面を有することができる。接地平面５２は、プリント回路基板（例えば、剛性プリント回路基板及びフレキシブルプリント回路基板）上の配線から、機器１０の内部の導電性の平面支持構造体から、筐体１２の外面部分を形成する導電性の構造体から、機器１０内の１つ以上の電気構成要素の一部である導電性の構造体（例えば、コネクタ、スイッチ、カメラ、スピーカ、マイクロホン、ディスプレイ、ボタンなどの部品）から、又は機器のその他の導電性デバイス構造体から形成することができる。隙間８２のような隙間は、空気、プラスチック、又はその他の誘電体で充填することができる。
【００５８】
導電性周囲部材１６の１つ以上のセグメントは、図３のアンテナ共振要素５０のようなアンテナ共振要素として機能することができる。例えば、領域２２にある導電性周囲部材１６の最上部セグメントは、機器１０内のアンテナのアンテナ共振要素として機能することができる。導電性周囲部材１６の導電性材料、接地平面５２の導電性材料、並びに誘電性空きスペース８２（及び隙間１８）を使用して、領域２２内の上部アンテナ及び領域２０内の下部アンテナのように機器１０内の１つ以上のアンテナを形成することができる。本明細書内では、図１４に関連して説明した種類の二重フィード構成を使用して上部領域２２内にアンテナが実装される構成を、例として説明することがある。
【００５９】
図２２に示す種類の機器の構成を使用して、図２２のアンテナ４０のような二重フィードアンテナ（例えば、二重フィード逆Ｆアンテナ）を実装することができる。導電性周囲部材（例えば、図２１の導電性周囲部材１６を参照）のセグメント１６’が、アンテナ共振要素５０を形成することができる。接地平面５２は、隙間８２によってアンテナ共振要素５０から分離させることができる。隙間１８はセグメント１６’の何れかの端部に形成することができ、関連付けられる寄生容量を有することができる。導電路８４が、アンテナ共振要素５０（即ち、セグメント１６’）と接地５２との間の短絡経路を形成することができる。図１４の例に関連して説明したように、第１のアンテナフィード部ＦＡ及び第２のアンテナフィード部ＦＢは、アンテナ共振要素５０の長さに沿った異なる場所に配置することができる。
【００６０】
図２３に示すように、アンテナ４０のフィード部の各々にフィルタ回路及びインピーダンス整合回路を設けることが望ましい場合がある。図２３に示す種類の構成において、アンテナ共振要素５０は、導電性周囲部材１６のセグメント（例えば、図２２のセグメント１６’）から形成することができる。アンテナ接地５２は、図２１の接地平面構造体５２のような接地平面構造体から形成することができる。図２３のアンテナ４０は、例えば、機器１０の領域２２内の上部アンテナ（例えば、逆Ｆアンテナ）であることができる。機器１０はまた、アンテナ４０’のような追加的なアンテナ（例えば、図２１に示す機器１０の下部部分２０内に形成されたアンテナ）を有することもできる。
【００６１】
図２３の例示的な例では、衛星航法受信機３５（例えば、全地球測位システム受信機又は別の衛星航法システムに関連付けられる受信機）が図９の送受信機６２Ａのような機器１０の第１の送受信機として機能することができ、セルラー電話送受信機回路３８（例えば、セルラー電話送信機及びセルラー電話受信機）が図９の送受信機６２Ｂのような機器１０の第２の送受信機として機能することができる。所望であれば、他の種類の送受信機回路を機器１０内に使用することができる。図２３の例は、単なる例示に過ぎない。
【００６２】
図２３に示すように、受信機３５は第１のアンテナフィード部ＦＡでアンテナ４０に連結することができ、送受信機３８は第２のアンテナフィード部ＦＢでアンテナ４０に連結することができる。
【００６３】
受信機３５の着信信号は、帯域通過フィルタ６４Ａ、必要に応じて使用できる整合回路Ｍ１及びＭ４のようなインピーダンス整合回路、及び低雑音増幅器８６を介して受信することができる。フィード部ＦＡから受信された信号は、伝送経路５４Ａ（例えば、図３及び９を参照）のような伝送経路を使用して、整合フィルタＭ１、帯域通過フィルタ６４Ａ、整合回路Ｍ４、及び低雑音増幅器８６のような構成要素を介して伝達されることができる。所望であれば、伝送経路５４Ａの中に追加の構成要素を挿入することもできる。
【００６４】
セルラー送受信機回路３８の送受信動作に関連付けられる信号は、ノッチフィルタ６４Ｂ、必要に応じて使用できる整合回路Ｍ２及びＭ３のようなインピーダンス整合回路、アンテナ選択スイッチ８８、及び回路９０を使用して処理することができる。アンテナ選択スイッチ８８は、（例として）アンテナ４０が送受信機３８に連結されている第１の状態及びアンテナ４０’が送受信機３８に連結されている第２の状態を有することができる。所望であれば、スイッチ８８は、アンテナ４０又はアンテナ４０’の何れかが送受信機３８に連結し、残りのアンテナが別の送受信機に連結する、クロスバースイッチであってもよい。
【００６５】
回路９０は、フィルタ（例えば、デュプレクサ、ダイプレクサなど）、電力増幅回路、帯域選択スイッチ、及びその他の構成要素を含むことができる。フィード部ＦＢと共に信号の送受信に使用される成分は、伝送経路５４Ｂ（例えば、図３及び９を参照）のような伝送経路を使用して、整合フィルタＭ２、ノッチフィルタ６４Ｂ、整合回路Ｍ３、及び回路９０などの構成要素を介して伝達されることができる。所望であれば、伝送経路５４Ｂの中に追加の構成要素を挿入することもできる。
【００６６】
周波数ｆの関数としてノッチフィルタ６４Ｂ及び帯域通過フィルタ６４Ａが呈することのできる透過率Ｔを図２４に示す。図２４のグラフにおいて、ノッチフィルタ６４Ｂの透過率は線９２の伝送特性によって表され、帯域通過フィルタ６４Ａの透過率は線９４の伝送特性によって表される。線９４が示すように、帯域通過フィルタ６４Ａは周波数ｆCを中心とする通過帯域内の周波数を有する信号を通過させることができ、周波数ｆL及びｆHのようにそれよりも低い周波数及び高い周波数を遮断することができる。線９２が示すように、ノッチフィルタ６４Ｂは、帯域通過フィルタ６４Ａの伝送特性を補完する伝送特性を有することができる。具体的には、ノッチフィルタ６４Ｂは周波数ｆCを中心とする周波数帯域内の信号を遮断する一方で周波数ｆLの近傍にあるより低い周波数の信号を通過させ、周波数ｆHの近傍にあるより高い周波数の信号を通過させることができる（即ち、ノッチフィルタ６４Ｂは、帯域通過フィルタ６４Ａの通過帯域と重なり合う阻止帯域を有することができる）。
【００６７】
図２５及び２６は、アンテナフィード部ＦＡ及びＦＢをそれぞれ使用したアンテナ４０のアンテナ性能（即ち、定在波比）を周波数の関数としてプロットしたグラフである。３本の性能曲線を図２５に示す。曲線９６は、フィード部ＦＡが図２３に示す位置にあるときの図２３のアンテナ４０の性能に対応している。フィード部ＦＡの（この例における）場所は、周波数ｆCの周りの周波数で（例えば、受信機３５が全地球測位システム受信機である構成では１５７５ＭＨｚの周りの周波数で）アンテナの性能を最大化するように選ばれている。フィード部ＦＡの位置を図２３の位置ＦＡ’又はＦＡ’’に変更すると、図２５の線９８及び１００がそれぞれ示すように離調を招き、アンテナ性能が低下する可能性がある。周波数ｆCの周りの周波数の信号（即ち、周波数ｆ1とｆ2との間の周波数を有する信号）は、帯域通過フィルタ６４Ａの通過帯域を経て受信機３５まで通過することができる。周波数での帯域外信号（即ち、ｆ1よりも下の信号及びｆ2よりも上の信号）は、帯域通過フィルタ６４Ａによって減衰することとなる。フィード部ＦＡをアンテナ４０の、周波数ｆCにおけるアンテナ性能が最大化された位置に配置できることが、機器１０が受信機３５のような受信機を使用して衛星航法システム信号（又はその他の好適な信号）を受信し処理する上で役立つ可能性がある。
【００６８】
図２６の例示的なアンテナ性能曲線（曲線１０２）は、（例えば、図２３に示す位置でフィード部ＦＢを使用して）高周波信号を送受信するためにフィード部ＦＢ及びセルラー電話送受信機回路３８を使用しているときのアンテナ４０の性能に対応している。フィード部ＦＢの（この例での）場所は、周波数ｆLの周りの周波数（例えば、セルラー電話用低帯域周波数ｆ3〜ｆ4）及び周波数ｆHの周りの周波数（例えば、セルラー電話用高帯域周波数ｆ5〜ｆ6）での送受信機回路３８のアンテナ性能を最大化するために選ばれている。周波数ｆ3、ｆ4、ｆ5、及びｆ6は、例として７００ＭＨｚ、９６０ＭＨｚ、１７００ＭＨｚ、及び２２００ＭＨｚであることができる。所望であれば、アンテナ４０は、（例えば、フィード部ＦＢの位置をずらし、又は共振要素５０のサイズ及び形状を変更したりなどすることにより）他の周波数をカバーするように構成することができる。
【００６９】
ノッチフィルタ６４Ｂは、周波数ｆ1よりも下の信号（即ち、周波数ｆ3からｆ4まで広がる通信帯域内の信号）を通過させるように構成され、周波数ｆ2よりも上の信号（即ち、周波数ｆ5からｆ6まで広がる通信帯域内の信号）を通過させるように構成されている。ノッチフィルタ６４Ｂの阻止帯域の部分は、図２６のグラフの曲線１０２の遮断部分１０１が示すように、周波数ｆ1とｆ2との間の周波数の信号（即ち、受信機３５によって処理される全地球測位システムの信号）を遮断することができる。
【００７０】
図２３のアンテナ４０のフィルタ６４Ａ及び６４Ｂは、図１４に関連して説明したように動作する。ｆCの帯域内の信号を受信するために受信機３５及びフィード部ＦＡを使用中、フィルタ６４Ａは、図２３のアンテナ共振要素５０にフィード部ＦＡを連結するインピーダンスを有することができ、ｆCの帯域内の信号が受信機３５に達することを可能とする。フィルタ６４Ｂは、周波数ｆCにおいて、フィード部ＦＢに連結されている回路をアンテナ４０から事実上切断するインピーダンスを有することができる（即ち、周波数ｆCにおいて、送受信機３８をアンテナ４０から事実上切り離すことができる）。ｆL及びｆHの帯域内で信号を送受信するために送受信機３８及びフィード部ＦＢを使用中、フィルタ６４Ｂはフィード部ＦＢを図２３のアンテナ共振要素５０に連結するインピーダンスを有することができ、ｆL及びｆHの帯域内の信号が送受信機３８に達することを可能とする。フィルタ６４Ａは、ｆL及びｆHの帯域内の周波数において、フィード部ＦＡに連結されている回路をアンテナ４０から事実上切断するインピーダンスを有することができる（即ち、ｆL及びｆHの帯域にある周波数で、受信機３５をアンテナ４０から事実上切り離すことができる）。
【００７１】
好適な一構成では、フィルタ６４Ａは、ｆL及びｆHの帯域において、フィード部ＦＡに連結されている回路をアンテナ４０から事実上切断する高インピーダンスを有することができる。また、フィード部ＦＢに関連付けられた周波数で動作中、受信機３５及びフィード部ＦＡのその他の回路をアンテナ４０から切り離すために、低インピーダンス（短絡）を使用することもできる。例えば、フィルタ６４Ａを、ｆ2よりも高い周波数（例えば、ｆ5〜ｆ6の周波数）で、開路状態ではなく短絡（低インピーダンス）状態を呈するように構成することができる。この短絡になると、ｆ5〜ｆ6の周波数の信号は位相が１８０°シフトしてフィルタ６４Ａから反射することができる。したがって、この短絡により、フィード部ＦＡに連結されている回路をアンテナ４０から事実上切断することができる。フィルタ６４Ａがｆ3〜ｆ4の周波数及びｆ5〜ｆ6の周波数で開路を形成するか否か、フィルタがｆ5〜ｆ6の周波数で短絡を形成する間にｆ3〜ｆ4の周波数で開路を形成するか否か、又はその他の好適な構成が使用されるか否かにかかわらず、フィード部ＦＢに連結されている回路の存在によって悪影響を被ることなく受信機３５の動作をサポートするようにフィード部ＦＡが最適化されることを可能とし、フィード部ＦＡによる悪影響を被ることなく送受信機３８の動作をサポートするようフィード部ＦＢが最適化されることを可能とするように、フィルタ６４Ａ及び６４Ｂを構成することができる。
【００７２】
所望であれば、機器１０にアンテナ４０を同調する際に使用できる同調可能な構成要素を設けることができる。例えば、フィルタ６４Ａ及び６４Ｂのようなフィルタ並びに必要に応じて使用可能な整合回路Ｍ１、Ｍ２、Ｍ３、及びＭ４のような整合回路を、同調可能な構成要素（又は、所望であれば固定の構成要素）を使用して実装することができる。好適な一構成では、図２３の整合回路Ｍ２及びＭ４のような整合回路を省略することができ、固定整合回路を使用して図２３の整合回路Ｍ１を実装することができ、同調可能整合回路を使用して図２３の整合回路Ｍ３を実装することができる。
【００７３】
同調可能整合回路Ｍ３（又はその他の同調可能アンテナ回路）の回路構成は、１つ以上の調節可能な構成要素を使用して実装することができる。調節可能な構成要素の例を図２７、２８、２９、３０、及び３１に示す。所望であれば、アンテナ４０は、図２７の可変コンデンサ１０４のような同調可能コンデンサ（可変コンデンサ）を使用して同調することができ、図２８のスイッチ１０６のような高周波スイッチを使用して同調することができ、図２９の可変インダクタ１０８のような可変インダクタを使用して同調することができ、図３０の調節可能なコンデンサ１１０のような調節可能なコンデンサを使用して同調することができ、図３１の調節可能なインダクタ１１２のような調節可能なインダクタを使用して同調することができ、その他の調節可能な構成要素及びこのような構成要素のうちの２つ以上の組み合わせ（例えば、同調可能な構成要素及び／又は固定の構成要素の組み合わせ）を使用して同調することができる。
【００７４】
図３０の調節可能なコンデンサ１１０は、コンデンサ１１４のアレイ、及びコンデンサ１１４のうちの１つ以上を調節可能なコンデンサ端子１１８と１２０との間で適所に選択的に切り替えるためにこれらコンデンサ１１４に関連付けられるスイッチ１１６を含むことができる。スイッチ１１６の状態は、機器１０内の制御回路（例えば、図２の記憶及び処理回路２８内のベースバンドプロセッサ）からの制御信号によって制御することができる。コンデンサ１１４は、図３０に示すように、端子１１８と１２０との間で選択的に並列に連結することができる。所望であれば、調節可能なコンデンサ１１０に他の構成を使用することもできる。例えば、コンデンサが直列に接続され、スイッチ式の選択的バイパス路を備えている構成を使用することができ、並列接続されたコンデンサ及び直列接続されたコンデンサの組み合わせによる構成などを使用することができる、などである。
【００７５】
図３１の調節可能なインダクタ１１２は、インダクタ１２２のアレイ、及びインダクタ１２２のうちの１つ以上を調節可能なインダクタ端子１２６と１２８との間で適所に選択的に切り替えるためにこれらインダクタ１１２に関連付けられるスイッチ１２４を含むことができる。例えば、インダクタ１２２は、端子１２６と１２８との間で選択的に並列に連結することができる。スイッチ１２４の状態は、機器１０内の制御回路（例えば、図２の記憶及び処理回路２８内のベースバンドプロセッサ）からの制御信号によって制御することができる。所望であれば、調節可能なインダクタ１１２にこの他の構成（例えば、インダクタが直列に接続され、スイッチ式の選択的バイパス路を備えている構成、並列接続されたインダクタと直列接続されたインダクタとの組み合わせによる構成など）を使用することができる。
【００７６】
図３２は、フィード部ＦＢに関連付けられる図２３の回路の一部分の図であり、同調可能回路を使用してインピーダンス整合回路Ｍ３を実装できる方法を示している。例えば、同調可能整合回路Ｍ３にスイッチ式の調節可能なコンデンサ１１０のような同調可能コンデンサを設けることができる。同調可能整合回路Ｍ３及びアンテナ４０内のその他の回路（例えば、整合回路Ｍ１、Ｍ２、Ｍ４のような整合回路、フィルタ６４Ａ及び６４Ｂなど）は、一般に、インダクタ、コンデンサ、抵抗器、連続可変インダクタ、連続可変抵抗器、連続可変コンデンサ、図３０のスイッチ式の調節可能なコンデンサ１１４のようなスイッチ式の調節可能なコンデンサ、図３１のスイッチ式の調節可能なインダクタ１１２のようなスイッチ式の調節可能なインダクタ、スイッチ、導電線、並びに追加的な固定の及び／又は調節可能な構成要素を含むことができる。
【００７７】
図３２に示すように、整合回路Ｍ３の調節可能なコンデンサ１１０のような調節可能な構成要素は、信号経路１３０を経て供給される制御信号によって制御することができる。経路１３０は、ベースバンドプロセッサ１３２のような制御回路（例えば、図２の記憶及び処理回路２８のような制御回路）から調節可能なコンデンサ１１４内のそれぞれのスイッチ１１６に制御信号を伝達する１本以上（例えば、２本以上、３本以上、３本よりも多く、など）の導電線を含むことができる。動作中、ベースバンドプロセッサ１３２は、記憶及び処理回路２８から送信されるデジタルデータを経路１３４で受信することができ、高周波送受信機回路３８を使用してフィード部ＦＢの整合回路Ｍ３及びノッチフィルタ６４Ｂを経由しアンテナ４０を介してこれに対応する高周波信号を送信することができる。データ受信動作中、ベースバンドプロセッサ１３２は、送受信機３８を使用して信号を受信することができ、これに対応するデータを経路１３４に供給することができる。
【００７８】
図３３は、アンテナ性能（定在波比）をフィード部ＦＢ及び図３２の回路を使用したアンテナ４０の動作周波数の関数としてプロットしたグラフである。図２３の整合回路Ｍ２及びＭ４を省略し、固定インピーダンス整合回路を使用して整合回路Ｍ１を実装し、図３２のスイッチ式の調節可能なコンデンサ１１０のような１つ以上の同調可能な構成要素を使用してインピーダンス整合回路Ｍ３を実装したアンテナ４０の例示的な構成において、調節可能なコンデンサ１１０の状態が高周波数帯域でのアンテナ４０の性能に及ぼす影響は比較的小さい。この結果、図３３のアンテナ性能曲線の部分１３４は、コンデンサ１１０の状態の如何にかかわらず比較的一定である。例えば、部分１３４は、約１７００ＭＨｚ（例えば、図２６の周波数ｆ5）〜約２２００ＭＨｚ（例えば、図２６の周波数ｆ6）の周波数の周波数範囲をカバーすることができる。
【００７９】
７００ＭＨｚ（例えば、図２６の周波数ｆ3）〜９６０ＭＨｚ（例えば、図２６の周波数ｆ4）の周波数のようなより低い周波数では、単一のアンテナ共振ピークを、（曲線１３６が示すように）周波数ｆ7を中心とする低位のサブバンド、（曲線１３８が示すように）周波数ｆ8を中心とする中位のサブバンド、及び（曲線１４０が示すように）周波数ｆ9を中心とする上位サブバンドをカバーするように同調することができる。
【００８０】
調節可能なコンデンサ１１０は、それぞれ異なる静電容量値Ｃ１、Ｃ２、及びＣ３（例えば、約０．５ｐＦ〜約１０ｐＦの範囲の静電容量）を呈する３つの状態を有することができる。アンテナ４０は、コンデンサ１１０がそのＣ１の状態に置かれているときには曲線１３６及び１３４に対応する応答を呈することができる。アンテナ４０は、コンデンサ１１０がそのＣ２の状態に置かれているときには曲線１３８及び１３４に対応する応答を呈することができる。アンテナ４０は、コンデンサ１１０がそのＣ３の状態に置かれているときには曲線１４０及び１３４に対応する応答を呈することができる。また、３つよりも多い数の状態又は３つよりも少ない数の状態を呈する同調可能整合回路Ｍ３の構成を使用することもできる。３つの異なる同調状態の間で調節することのできる調節可能なコンデンサ及び図３２の整合回路Ｍ３のような整合回路の使用は、単に例示的であるに過ぎない。
【００８１】
一実施形態によれば、アンテナと、アンテナ内の第１の場所にある第１のアンテナフィード部と、アンテナ内の第２の場所にある第２のアンテナフィード部と、アンテナから第１の通信帯域で高周波信号を受信するように構成された第１の高周波受信機と、アンテナから第２の通信帯域で高周波信号を受信するように構成された第２の高周波受信機と、第１の高周波受信機と第１のアンテナフィード部との間に連結されている第１のフィルタであって、第１の通信帯域では高周波信号を通過させるように構成され、第２の通信帯域では高周波信号を遮断するように構成されている、第１のフィルタと、第２の高周波受信機と第２のアンテナフィード部との間に連結されている第２のフィルタであって、第２の通信帯域では高周波信号を通過させるように構成され、第１の通信帯域では高周波信号を遮断するように構成されている、第２のフィルタと、を含む電子機器が提供される。
【００８２】
別の実施形態によれば、第１のフィルタは、帯域通過フィルタを含む。
【００８３】
別の実施形態によれば、第２のフィルタは、ノッチフィルタを含む。
【００８４】
別の実施形態によれば、帯域通過フィルタは通過帯域を有し、ノッチフィルタは通過帯域と重なり合う阻止帯域を有する。
【００８５】
別の実施形態によれば、第１の高周波受信機は衛星航法システム受信機を含む。
【００８６】
別の実施形態によれば、第２の高周波受信機はセルラー電話受信機を含む。
【００８７】
別の実施形態によれば、セルラー電話受信機は、第３の通信帯域で動作するように構成され、第２のフィルタは、第３の通信帯域で高周波信号を通過させるように構成されている。
【００８８】
別の実施形態によれば、第３の通信帯域は阻止帯域よりも低い周波数を含み、第２の通信帯域は阻止帯域よりも高い周波数を含む。
【００８９】
別の実施形態によれば、電子機器はまた、アンテナを同調して第３の通信帯域をカバーするように構成され、ノッチフィルタに連結されている同調可能回路を含む。
【００９０】
別の実施形態によれば、同調可能回路は、少なくとも第１及び第２の選択可能な静電容量を呈するように構成されたスイッチ式の調節可能なコンデンサを含む。
【００９１】
別の実施形態によれば、電子機器はまた、アンテナを同調するように構成され、第２のフィルタに連結されている同調可能回路を含む。
【００９２】
別の実施形態によれば、同調可能回路は、少なくとも第１及び第２の選択可能な静電容量を有するスイッチ式の調節可能なコンデンサを含む。
【００９３】
別の実施形態によれば、電子機器はまた、第２のアンテナフィード部と第２の高周波受信機との間に連結されている信号経路を含み、第２のアンテナフィード部と第２の高周波受信機との間の経路の中にスイッチ式の調節可能なコンデンサが挿入され、第２のアンテナフィード部とスイッチ式の調節可能なコンデンサとの間に第２のフィルタが挿入されている。
【００９４】
別の実施形態によれば、第１の高周波受信機は衛星航法システム受信機を含み、第２の高周波受信機はセルラー電話受信機を含む。
【００９５】
別の実施形態によれば、電子機器はまた、信号経路に連結されているセルラー電話送信機を含む。
【００９６】
別の実施形態によれば、電子機器はまた、アンテナのアンテナ接地を形成する導電性構造体を収容する筐体であって、この筐体の少なくとも幾つかの縁部の周りに延びる導電性周囲部材を有する、筐体を含み、導電性周囲部材の少なくとも一部は、アンテナのアンテナ共振要素を形成する。
【００９７】
一実施形態によれば、第１の場所にある第１のアンテナフィード部及び第２の場所にある第２のアンテナフィード部を有するアンテナと、アンテナから第１の通信帯域で高周波信号を受信するように構成された第１の高周波受信機と、アンテナから第２の通信帯域で高周波信号を受信するように構成された第２の高周波受信機と、第１の高周波受信機と第１のアンテナフィード部との間に連結されている第１のフィルタであって、第１の通信帯域では高周波信号を通過させるように構成され、第２の通信帯域では第１のインピーダンスを呈するように構成されている、第１のフィルタと、第２の高周波送受信機と第２のアンテナフィード部との間に連結されている第２のフィルタであって、第２の通信帯域では高周波信号を通過させるように構成され、第１の通信帯域では第２のインピーダンスを呈するように構成されている、第２のフィルタと、を含む電子機器であって、第２のフィルタ及びアンテナは、アンテナが第１の通信帯域で第１の共振を呈する一方で第２のフィルタが第１の通信帯域で第２のインピーダンスを呈するように構成され、第１のフィルタ及びアンテナは、アンテナが第２の通信帯域で第２の共振を呈する一方で第１のフィルタが第２の通信帯域で第１のインピーダンスを呈するように構成されている、電子機器が提供される。
【００９８】
別の実施形態によれば、第１のフィルタは第１の通信帯域で第３のインピーダンスを呈するように構成され、第３のインピーダンスは第２のインピーダンスよりも小さい。
【００９９】
別の実施形態によれば、電子機器はまた、アンテナのアンテナ接地を形成する導電性構造体を収容する筐体であって、この筐体の少なくとも幾つかの縁部の周りに延びる導電性周囲部材を有する、筐体を含み、導電性周囲部材の少なくとも一部は、アンテナのアンテナ共振要素を形成する。
【０１００】
別の実施形態によれば、電子機器はまた、アンテナを同調するように構成され、第２のフィルタに連結されている同調可能回路を含む。
【０１０１】
別の実施形態によれば、電子機器はまた、同調可能回路内に調節可能なコンデンサを含む。
【０１０２】
一実施形態によれば、異なる場所に第１及び第２のアンテナフィード部を有するアンテナと、第１のアンテナフィード部に関連付けられる通信を処理する第１の回路及び第２のアンテナフィード部に関連付けられる通信を処理する第２の回路を有する高周波送受信機回路と、第１のアンテナフィード部と第１の回路との間に連結されている第１のフィルタであって、第１の通信帯域では高周波信号を通過させるように構成され、第２の通信帯域では高周波信号を遮断するように構成されている、第１のフィルタと、第２のアンテナフィード部と第２の回路との間に連結されている第２のフィルタであって、第１の通信帯域では高周波信号を遮断するように構成され、第２の通信帯域では高周波信号を通過させるように構成されている、第２のフィルタと、を含む電子機器が提供される。
【０１０３】
別の実施形態によれば、電子機器はまた、アンテナを同調するように構成され、第２のフィルタに連結されている同調可能回路を含む。
【０１０４】
別の実施形態によれば、電子機器はまた、同調可能回路内に同調可能コンデンサを含む。
【０１０５】
別の実施形態によれば、電子機器はまた、アンテナのアンテナ接地を形成する導電性構造体を収容する筐体であって、この筐体の少なくとも幾つかの縁部の周りに延びる導電性周囲部材を有する、筐体を含み、導電性周囲部材の少なくとも一部は、アンテナのアンテナ共振要素を形成する。
【０１０６】
別の実施形態によれば、電子機器はまた、第２のフィルタと第２の回路との間の信号経路を含み、電子機器はまた、追加のアンテナと、信号経路の中に挿入されたアンテナ選択スイッチと、を含み、アンテナ選択スイッチは、追加のアンテナに連結されている。
【０１０７】
上記は本発明の原理を単に例示したものに過ぎず、当業者は本発明の範囲及び趣旨を逸脱することなしに様々な変更を行うことができる。
【図１】
0005856316.tif 000002
【図２】
0005856316.tif 000003
【図３】
0005856316.tif 000004
【図４】
0005856316.tif 000005
【図５】
0005856316.tif 000006
【図６】
0005856316.tif 000007
【図７】
0005856316.tif 000008
【図８】
0005856316.tif 000009
【図９】
0005856316.tif 000010
【図１０】
0005856316.tif 000011
【図１１】
0005856316.tif 000012
【図１２】
0005856316.tif 000013
【図１３】
0005856316.tif 000014
【図１４】
0005856316.tif 000015
【図１５】
0005856316.tif 000016
【図１６】
0005856316.tif 000017
【図１７】
0005856316.tif 000018
【図１８】
0005856316.tif 000019
【図１９】
0005856316.tif 000020
【図２０】
0005856316.tif 000021
【図２１】
0005856316.tif 000022
【図２２】
0005856316.tif 000023
【図２３】
0005856316.tif 000024
【図２４】
0005856316.tif 000025
【図２５】
0005856316.tif 000026
【図２６】
0005856316.tif 000027
【図２７】
0005856316.tif 000028
【図２８】
0005856316.tif 000029
【図２９】
0005856316.tif 000030
【図３０】
0005856316.tif 000031
【図３１】
0005856316.tif 000032
【図３２】
0005856316.tif 000033
【図３３】
0005856316.tif 000034